(57)【要約】【課題】ベビーカーでの買い物はカートに乗り換える煩わしさや、片手に持った買い物カゴの重さで手が痛くなり長時間の買い物も苦痛で今までとても不便だった。【解決手段】  ベビーカーのフレームにスーパーマーケットなどで使用されている買い物カゴを固定し、ベビーカー左右２本の主フレームの一部に買い物カゴの上部を吊り下げる第１フックを水平方向に回動可能に取り付けた留め具がそれぞれ固定し、前記ベビーカーの前記主フレームの下方に位置する２本の後輪用フレームの一部に前記買い物カゴの底部を支持する第２フックを水平方向に取り付けた留め具がそれぞれ固着される。【選択図】図１
2005112214.tif 000002
【特許請求の範囲】
【請求項１】
ベビーカーのフレームにスーパーマーケットなどで使用されている買い物カゴを固定する装置であり、ベビーカー左右２本の主フレームの一部に買い物カゴの上部を吊り下げる第１フックを水平方向に回動可能に取り付けた留め具がそれぞれ固定され、前記ベビーカーの前記主フレームの下方に位置する２本の後輪用フレームの一部に前記買い物カゴの底部を支持する第２フックを水平方向に取り付けた留め具がそれぞれ固着されたことを特徴とする買い物カゴ固定装置。
【請求項２】
留め具の内側に滑り止めを設け、第１フックと第２フックの表面にも滑り止めを設けたことを特徴とする請求項1記載の買い物カゴ固定装置。
【請求項３】
ベビーカーのフレームの把手部に前記第１フックを回動可能に取り付けた前記留め具が固定されたことを特徴とする荷物袋吊り下げ装置。
【発明の詳細な説明】
【技術分野】
【０００１】
本発明は店内用の買い物カゴを手にもたず、掛止することが出来、買い物後の荷物袋も吊り下げられる買い物カゴ固定装置と荷物吊り下げ装置に関する。
【背景技術】
【０００２】
従来、店内用買い物カゴをベビーカーに固定する固定装置を有するものがなく、ベビーカー把手部に固定して荷物を吊り下げる吊り下げ装置はあった。
(特許文献1、2、3参照)
【０００３】
【特許文献１】特願平８−７５０８５号公報
【特許文献２】実開平０６−０５５９３９号公報
【特許文献３】実開平０６−２０２６１５号公報
【発明の開示】
【発明が解決しようとする課題】
【０００４】
従来、ベビーカーの把手部に荷物を吊り下げる為の器具はあったが店内用買い物カゴ自体をベビーカーに固定するといった装置がなかったので、ベビーカーで買い物する場合、片手に買い物カゴを持ったままもう一方の手でベビーカーを押さなければならず、食品や飲料などで重くなった買い物カゴを持ったまま長時間買い物すると手にかかる重さが非常に苦痛で、また狭い店内などでは横幅を取るので身動きしづらく利用者の多くは不便を感じていた。
【０００５】
小さいスーパーなどでは子供を乗せるカート自体がない店もあり、カートが置いてある店でもベビーカーと店内に置かれているカートの両方を両手で操作するのも困難である。
【０００６】
ベビーカーから店内カートに乗り換える場合も、置き去りにされたベビーカーは店内利用者の邪魔にもなる、またベビーカーの盗難なども心配であった。
【０００７】
ベビーカー無しで買い物に行くのも店内にはカートがあるが、普段車を利用しない者にとっては非常に不便であった。
【課題を解決するための手段】
【０００８】
本発明は上記の課題を解決する為にベビーカーのフレームにスーパーマーケットなどで使用されている買い物カゴを固定する装置であり、ベビーカー左右２本の主フレームの一部に買い物カゴの上部を吊り下げる第１フックを水平方向に回動可能に取り付けた留め具がそれぞれ固定され、前記ベビーカーの前記主フレームの下方に位置する２本の後輪用フレームの一部に前記買い物カゴの底部を支持する第２フックを水平方向に取り付けた留め具がそれぞれ固着された買い物カゴ固定装置を提供する。尚、留め具の内側や、第１フック、第２フックの表面に滑り止めを設けることで買い物カゴを確実に固定することが出来る。又、第１フックを取り付けた留め具をベビーカーのフレームの把手部に取り付けることで荷物袋を吊り下げる装置として用いることも出来る。
【発明の効果】
【０００９】
上記により本発明の買い物カゴ固定装置をベビーカーに取り付けることにより、買い物カゴを手に持つ苦痛と不便さを軽減し、尚且つ買い物後の荷物袋も吊り下げられるという効果がある。
【００１０】
カートの置いてない店でもベビーカーに店内用買い物カゴをそのまま掛止め出来るので不便さもなくなるといった効果もある。
【００１１】
狭い店内でベビーカーを押しながら片手に店内用買い物カゴを持つという動作は買い物をする際に横幅を取り、身動きにも困難だったものがこの発明により完全に解消される。
【００１２】
ベビーカーを店内に放置して盗まれる心配がない。またベビーカーからカートに乗り換えるといった煩わしさも軽減される。
【００１３】
留め具は取り付け取り外しも簡単で、邪魔にならないのでベビーカーにつけたまま折り畳むことが出来、滑り止めにより更に安定性を高めた固定装置となり、本発明の固定装置によりベビーカー自体の利用価値をさらに高め得る。
【発明を実施するための最良の形態】
【００１４】
この発明の実施形態を、図１〜図３に示して説明する。
図においてＡはベビーカー、Ｂは主フレーム、Ｃは後輪用フレーム、Ｄは買い物カゴ、E
は把手部、Ｆはカゴ持ち手部、１は主フレームに掛止めするための留め具、２は第１フックであり買い物カゴＤ上部を吊り下げる形状になっており、３は後輪用フレームＣに取り付けるための留め具、４は第２フックであり買い物カゴＤの底部分を支える形状になっている。５は滑り止めである。
【００１５】
ベビーカーＡの主フレームＢや後輪用フレームＣに係止可能とした留め具１、３の断面形状はＣ形になっているが留め具1、留め具３の形はベビーカーの多種フレームの形状に対応するような形であればどんな形でも良い。また留め具1、留め具３の素材は弾力性があり、強度の高いプラスチックや金属で出来ており、それぞれ主フレームＢ、後輪用フレームＣに対して押し込んで固定し、引離すことにより取り外しのできるものであるが、ネジで留めて取れないようにし、ベビーカーＡの主フレームＢ、後輪用フレームＣにそれぞれ固定したままにしても良い。留め具１、３の内側に滑り止め５を設け、主フレームＢと留め具１の密着部分がぴったりと滑らないようにされている。尚、滑り止め５はゴム製やビニール、シリコンゴムなど滑らないような素材を使用すればどんな物でも良い。
【００１６】
第１フック２本体は耐重量性があり、留め具１に対して第１フック２が水平方向に回動する事により多種な買い物カゴＤの穴の間隔、大きさに対応するようになっている。
尚、第１フック２が水平方向に回動することを可能とするには第１フックの一端部を留め具１の一端部で巻き込むように取り付けると良い。
【００１７】
第１フック２の内側にも滑り止め５を設けることで買い物カゴＤ、買い物カゴ持ち手部Ｆが滑るのを防止する役目を果たす。
【００１８】
ベビーカーＡの後輪用フレームＣにも留め具３を設置し、買い物カゴＤ底面を支えるように第２フック４を取り付け、買い物カゴＤ底面を固定するという役目を果たすようになっている。尚、第２フック４は留め具３の表面に固着されておれば良い。
この使用例によれば、第１フック２が簡単に掛け外し出来、ベビーカーＡの主フレームＢ，後輪用フレームＣの大きさの違いにも対応できるので買い物後は取り外し、ベビーカーＡの把手部Ｅに取り付けて荷物袋の吊り下げにも使用出来るようになっている。（図示せず）
【００１９】
図１に示した第1フック２の形状は釣り針のようになっているが、他の実施形態として、例えば略Ｌ字形など買い物カゴの着脱が容易にできる形であればどんな形でも良い。また第１フック２、第２フック４の素材は強度に耐えられるような物、例えば強度の高いプラスチックや鉄製のものでも良い。第２フック４も買い物カゴＤを支える形であればどのような形でも良い。
【００２０】
また図３に示す様にベビーカーの把手部Ｅに留め具１を２個取り付けて第１フック２にカゴ持ち手部Ｆを掛けて使用する事も出来る。
【図面の簡単な説明】
【００２１】
【図１】この発明の一使用例を示す斜視図である。
【図２】この発明の留め具の実施例を示す斜視図である。
【図３】この発明の他使用例を示す斜視図である。
【符号の説明】
【００２２】
Ａ  ベビーカー            
Ｂ  主フレーム
Ｃ  後輪用フレーム
D  買い物カゴ
E   把手部
Ｆ  カゴ持ち手部
１  留め具
２  第１フック    
３  留め具  
４  第２フック  
５  滑り止め
【図１】
2005112214.tif 000003
【図２】
2005112214.tif 000004
【図３】
2005112214.tif 000005